(57)【要約】【課題】簡単な駆動機構により電子機器の前面を開くことができ、操作つまみや表示部を配置する面を広くすることができる可動式パネルを提供する。【解決手段】スライド自在に連結された前側パネル２と後側パネル３とが重なって直立し電子機器の前面を覆う第１の状態から前側パネル２と後側パネル３とがずれて電子機器の前面から離れて傾斜した第２状態との間で可動とした。【選択図】　　　　図１
2004042693.tif 000002
【特許請求の範囲】
【請求項１】
スライド自在に連結された前側パネルと後側パネルとが重なって直立し電子機器の前面を覆う第１の状態から前側パネルと後側パネルとがずれて電子機器の前面から離れて傾斜した第２状態との間で可動となっていることを特徴とする可動式パネル。
【請求項２】
前記前側パネルの表面に表示部のみが設けられている請求項１の可動式パネル。
【請求項３】
電子機器本体、第１のアーム、第２のアームおよび前記前側パネルと後側パネルのいずれかの一方で４節回転連鎖が構成されている請求項１または２の可動式パネル。
【請求項４】
前記第１のアームまたは第２のアームの一方に設けた溝に前記前側パネルと後側パネルのいずれかの他方に立設した軸が係合している請求項３の可動式パネル。
【請求項５】
前記後側パネルにサブパネルが出入自在に設けられ、前記後側パネルに回動自在に支持されたレバーの突端が前記前側パネルに設けられたカムと摺接し、前側パネルが前記第１の状態から第２の状態に移動するときに前記レバーにより前記サブパネルが前記後側パネルの内部から突出されるように構成した請求項１から４のいずれかに記載した可動式パネル。
【請求項６】
前記第１のアームまたは第２のアームのいずれかが駆動源により回動される請求項３から５のいずれかに記載した可動式パネル。
【発明の詳細な説明】
【０００１】
【発明の属する技術分野】
この発明は電子機器の前面に配置されるパネルに係わり、特に、車載用電子機器に好適な可動式パネルに関する。
【０００２】
【従来の技術】
従来の車載用音響機器の可動パネルの例を図４に示す。図４（ａ）に示す車載用音響機器本体１に立設された軸１ａ、１ｂは夫々、駆動アーム４および従動アーム５を回動自在に支持しており、駆動アーム４および従動アーム５は夫々パネル１０に立設された軸１０ａ、１０ｂに回動自在に連結されている。
【０００３】
これらの車載用音響機器本体１、駆動アーム４、従動アーム５およびパネル１０は４節回転連鎖を構成しており、駆動アーム４を図示していない駆動機構により回動することにより、パネル１０は図４（ａ）に示す車載用音響機器本体１の前面を覆う位置から図４（ｂ）、図４（ｃ）の状態を経由して図４（ｄ）に示す車載用音響機器本体１の前面を開く位置に駆動される。図４（ｄ）に示す状態で記録媒体を車載用音響機器本体１内に出入させることができる。
【０００４】
また、従来の車載用音響機器で盗難防止機能を持たせるために、パネルを１８０°回転させて、パネルのブランクの裏面が表に現れるようにしたものもあった。
【０００５】
【発明が解決しようとする課題】
上記した図４に示す従来の可動パネルは狭い車載用音響機器本体の前面を覆うパネルの表面に操作つまみや表示部をすべて配置するために表示部が小さくなるという問題があった。
【０００６】
また、パネルを１８０°回転させるものはパネル駆動機構が複雑となり、製造コストが高くなり、しかも、大きいスペースが必要となるという問題があった。
【０００７】
この発明は上記した点に鑑みてなされたものであって、その目的とするところは、簡単な駆動機構により電子機器の前面を開くことができ、操作つまみや表示部を配置する面を広くすることができる可動式パネルを提供することにある。
【０００８】
この発明の他の目的は簡単な駆動機構により盗難防止機能を持たせた可動式パネルを提供することである。
【０００９】
【課題を解決するための手段】
この発明の可動式パネルは、スライド自在に連結された前側パネルと後側パネルとが重なって直立し電子機器の前面を覆う第１の状態から前側パネルと後側パネルとがずれて電子機器の前面から離れて傾斜した第２状態との間で可動となっているものである。
【００１０】
また、前記可動式パネルにおいて、前記前側パネルの表面に表示部のみが設けられているものである。
【００１１】
また、前記各可動式パネルにおいて、電子機器本体、第１のアーム、第２のアームおよび前記前側パネルと後側パネルのいずれかの一方で４節回転連鎖が構成されているものである。
【００１２】
また、前記可動式パネルにおいて、前記第１のアームまたは第２のアームの一方に設けた溝に前記前側パネルと後側パネルのいずれかの他方に立設した軸が係合しているものである。
【００１３】
また、前記各可動式パネルにおいて、前記後側パネルにサブパネルが出入自在に設けられ、前記後側パネルに回動自在に支持されたレバーの突端が前記前側パネルに設けられたカムと摺接し、前側パネルが前記第１の状態から第２の状態に移動するときに前記レバーにより前記サブパネルが前記後側パネルの内部から突出されるように構成したものである。
【００１４】
また、前記各可動式パネルにおいて、前記第１のアームまたは第２のアームのいずれかが駆動源により回動されるものである。
【００１５】
【発明の実施の形態】
この発明の実施例である車載用音響機器の可動パネルを図面に基づいて説明する。図１はこの発明の実施例である車載用音響機器の可動式パネルを示す概略側面図である。
【００１６】
図１（ａ）に示す車載用音響機器本体１に立設された軸１ａ、１ｂは夫々、駆動アーム４および従動アーム５を回動自在に支持しており、駆動アーム４および従動アーム５は夫々前側パネル２に立設された軸２ａ、２ｂに回動自在に連結されている。
【００１７】
これらの車載用音響機器本体１、駆動アーム４、従動アーム５および前側パネル２は４節回転連鎖を構成しており、駆動アーム４を図示していない駆動機構により回動することにより、前側パネル２は図１（ａ）に示す車載用音響機器本体１の前面を覆う位置から図１（ｂ）、図１（ｃ）の状態を経由して図１（ｄ）に示す車載用音響機器本体１の前面を開く位置に駆動される。図１（ｄ）に示す状態で記録媒体を車載用音響機器本体１内に出入させることができる。
【００１８】
前側パネル２には後側パネル３がスライド自在に連結されている。図２に前側パネル２と後側パネル３との連結構造を詳しく示している。なお、図示を簡略化するために図１では図２に示す連結プレート６を図１（ａ）のみに点線で示している。
【００１９】
図２に示す連結プレート６に立設された軸６ａ、６ａ…は前側パネル２に設けられガイド溝２ｃと係合しており、連結プレート６は前側パネル２および後側パネル３をスライド自在に連結している。なお、連結プレート６は後側パネル３にねじ１１、１１で締着されている。
【００２０】
図１に示すように駆動アーム４に設けられたガイド溝４ａには後側パネル３に立設された軸３ａが係合している。従って、駆動アーム４により前側パネル２が図１（ａ）に示す位置から図１（ｄ）に示す位置に駆動されるに伴い、後側パネル３が前側パネル２に対してずれた位置に駆動される。図２（ａ）〜（ｃ）に後側パネル３が前側パネル２に対してずれる状態が示されている。
【００２１】
図１（ｄ）に示すサブパネル８は後側パネル３に対して出入自在に設けられている。サブパネル８の駆動機構が図３に詳しく示されている。図３に示すサブパネル８は後側パネル３に出入自在に支持されており、引張りコイルばね９により後側パネル３の内側に付勢されている。
【００２２】
後側パネル３に軸３ｂを介して回動自在に支持されたレバー７の一方の先端は前側パネル２に設けられたカム面２ｄと当接し、他方の先端はサブパネル８の後面に当接している。図１（ａ）および図３（ａ）に示すように後側パネル３が前側パネル２と重なる位置ではサブパネル８は引張りコイルばね９の弾力により後側パネル３の内部に引き込まれている。
【００２３】
後側パネル３が図３（ｂ）に示す位置を経由して図３（ｃ）に示す位置まで移動されると、レバー７はカム面２ｄに押されて反時計方向に回動してサブパネル８を図１（ｄ）および図３（ｃ）に示すように後側パネル３から押し出す。サブパネル８には操作つまみが設けられており、前側パネル２には表示部のみが設けられている。
【００２４】
このように前側パネル２には表示部のみが設けられているので、大きい表示部を使用することができ、また、前側パネル２が図１（ａ）に示すように、車載用音響機器本体１の前面を閉じた位置にあるときに表示部を消灯すれば、前側パネル２が単なる暗い面となり、車載用音響機器を見つけにくく盗難を防止することができる。
【００２５】
実施例は以上のように構成されているが発明はこれに限られず、例えば、この発明を車載用ナビゲーション装置等に適用することもできる。また、パネルを手動により可動させてもよい。
【００２６】
【発明の効果】
この発明の可動式パネルによれば、従来のもに比べて広い表示部を使用することができる。
【００２７】
また、パネルを１８０°回転させることなく盗難防止機能を持たせることができるので、駆動機構が簡単となり、省スペース化が達成できる。
【図面の簡単な説明】
【図１】この発明の実施例である可動式パネルを示す概略側面図である。
【図２】同可動式パネルの部分を示す側面図である。
【図３】同可動式パネルの部分を示す概略断面図である。
【図４】従来の可動式パネルの例を示す概略側面図である。
【符号の説明】
１　車載用音響機器本体、１ａ、１ｂ　軸
２　前側パネル、２ａ、２ｂ　軸、２ｃ　ガイド溝、２ｄ　カム面
３　後側パネル、３ａ、３ｂ　軸
４　駆動アーム、４ａ　ガイド溝
５　従動アーム
６　連結プレート、６ａ　軸
７　レバー
８　サブパネル
９　引張りコイルばね
１０　パネル、１０ａ、１０ｂ　軸
１１　ねじ
【図１】
2004042693.tif 000003
【図２】
2004042693.tif 000004
【図３】
2004042693.tif 000005
【図４】
2004042693.tif 000006